(57)【特許請求の範囲】
【請求項１】
内容物を有する容器に装着され、前記容器の一部を覆って当該容器を閉止する蓋体を備えた容器蓋において、
前記蓋体は、
前記容器を覆っている側の面を内面として、当該内面に設けられた凹部を有する液体捕捉部と、
外面に設けられた凸部を有する放熱部と、を備えたことを特徴とする容器蓋。
【請求項２】
前記蓋体は、有底筒状を成し、その内周面に前記液体捕捉部を有すると共に、その外周面に前記放熱部を有することを特徴とする請求項１記載の容器蓋。
【請求項３】
前記液体捕捉部の凹部の幅が、後端側から先端側へ向かって狭くなっていることを特徴とする請求項２記載の容器蓋。
【請求項４】
有底筒状の前記蓋体を、前記放熱部の前記凸部と共に収容する収容筒を有することを特徴とする請求項２又は３記載の容器蓋。
【請求項５】
前記凸部は、周方向に沿って複数設けられ、
前記収容筒の内周面と、前記蓋体の外周面で前記凸部同士の間の部分との間には、軸線方向に延びる空間が流路として形成され、
前記流路は、その後端が開放され外部雰囲気と連通していることを特徴とする請求項４記載の容器蓋。
【請求項６】
前記凸部は、軸線方向に延び、周方向に沿って複数並設された凸部であることを特徴とする請求項１〜５の何れか一項に記載の容器蓋。
【請求項７】
前記凸部は、周方向に延びるように設けられ、
前記収容筒の内周面と、前記蓋体の外周面で前記凸部の周方向末端同士の間の部分との間には、軸線方向に延びる空間が流路として形成され、
前記流路は、その後端が開放され外部雰囲気と連通していることを特徴とする請求項４記載の容器蓋。
【発明の詳細な説明】
【技術分野】
【０００１】
本発明は、内容物を有する容器を閉止するための容器蓋に関する。
【背景技術】
【０００２】
従来、揮発成分を含む液状化粧料を収容した化粧料容器を、容器蓋で閉止すると、化粧料容器と容器蓋との間の空間に揮発成分が蒸発し、この蒸発した揮発成分が外部環境の温度低下の影響等で結露することがある。以下の特許文献１、２には、容器蓋に結露、付着した滴が垂れ落ちないようにするための構造が開示されている。
【０００３】
特許文献１では、コンパクト容器の蓋体内面の湾曲する凹面に、放射状や同心状の溝を設け、当該溝に結露を集めて滴下を抑制しながら周縁部へ排出するようになっている。また、特許文献２では、櫛付き塗布容器の有底筒状のキャップ（蓋体）の底部内面に、複数の凹凸部を設け、当該凹部に結露を保持して滴下を抑制するようになっている。
【先行技術文献】
【特許文献】
【０００４】
【特許文献１】特開平１０−２７２０１２号公報
【特許文献２】特開２００７−００７１４６号公報
【発明の概要】
【発明が解決しようとする課題】
【０００５】
ここで、結露は容器蓋だけではなく、容器蓋により覆われている容器の外面にも生じることがあり、このような容器外面に付着した滴は、容器蓋の内面の滴に比して、使用者の目に付きやすく手に触れやすいため、美観を損ない使用者の手を汚してしまうという問題がある。
【０００６】
そこで、本発明は、容器外面に対し滴が付着することを防止できる容器蓋を提供することを目的とする。
【課題を解決するための手段】
【０００７】
本発明による容器蓋は、内容物を有する容器に装着され、容器の一部を覆って当該容器を閉止する蓋体を備えた容器蓋において、蓋体は、容器を覆っている側の面を内面として、当該内面に設けられた凹部を有する液体捕捉部と、外面に設けられた凸部を有する放熱部と、を備えたことを特徴としている。
【０００８】
このような容器蓋によれば、例えば外部環境の温度が低下した際には、蓋体の外面に設けた凸部により表面積が大きくされた放熱部によって、蓋体の外面が積極的に放熱されて冷却が促進されるため、蓋体で覆われている容器外面に結露が生じる前に蓋体内面に結露が生じ、結露した滴は、蓋体の内面に設けた液体捕捉部の凹部に表面張力により捕捉される。従って、容器外面に対し滴が付着することを防止でき、その結果、美観を損ねず、使用者の手を汚すこともない。
【０００９】
ここで、蓋体は、有底筒状を成し、その内周面に液体捕捉部を有すると共に、その外周面に放熱部を有する構成であると、外周面という広い領域に設けられた放熱部により、放熱・冷却が一層促進され、内周面という広い領域に設けられた液体捕捉部により、結露した滴が一層確実に捕捉される。
【００１０】
また、液体捕捉部の凹部の幅が、後端側から先端側に向かって狭くなっていると、凹部に捕捉される滴は、毛細管現象によって、凹部の細い先端側に容易に集められ確実に保持される。
【００１１】
また、有底筒状の蓋体を、放熱部の凸部と共に収容する収容筒を有する構成であると、収容筒に蓋体が収容されるため、蓋体外面の凸部が邪魔にならず、使用者は容器蓋を支障なく容易に把持することができる。
【００１２】
また、凸部は、周方向に沿って複数設けられ、収容筒の内周面と、蓋体の外周面で凸部同士の間の部分との間には、軸線方向に延びる空間が流路として形成され、流路は、その後端が開放され外部雰囲気と連通している構成であると、外部雰囲気の空気が流路を通して軸線方向に流れる結果、放熱部による放熱が一層促進される。
【００１３】
ここで、上記作用を好適に奏する凸部としては、具体的には、軸線方向に延び、周方向に沿って複数並設された凸部が挙げられる。このような凸部によれば、好適に放熱できると共に、金型による成形が容易である。
【００１４】
また、凸部は、周方向に延びるように設けられ、収容筒の内周面と、蓋体の外周面で凸部の周方向末端同士の間の部分との間には、軸線方向に延びる空間が流路として形成され、流路は、その後端が開放され外部雰囲気と連通していても良い。このような構成であっても、外部雰囲気の空気が流路を通して軸線方向に流れる結果、放熱部による放熱が一層促進される。
【発明の効果】
【００１５】
このように本発明によれば、容器外面に対し滴が付着することを防止でき、美観を損ねず、使用者の手も汚すことがない。
【図面の簡単な説明】
【００１６】
【図１】本発明の第１実施形態に係る容器蓋を備えた液状化粧料容器を示す外観図である。
【図２】図１に示す液状化粧料容器の縦断面図である。
【図３】図２に示す液状化粧料容器から取り出した容器蓋の縦断面図である。
【図４】図３のIV-IV矢視図である。
【図５】図３及び図４中の内キャップの前方斜視図である。
【図６】図５に示す内キャップの後方斜視図である。
【図７】図６に示す内キャップをさらに軸線に近い位置から見た後方斜視図である。
【図８】図６に示す内キャップの断面斜視図である。
【図９】図５〜図８に示す内キャップの背面図である。
【図１０】図９のX-X矢視図である。
【図１１】図９のXI-XI矢視図である。
【図１２】本発明の第２実施形態に係る容器蓋を示す縦断面図である。
【図１３】図１２中の内キャップの前方斜視図である。
【図１４】図１３に示す内キャップの後方斜視図である。
【図１５】図１４に示す内キャップの断面斜視図である。
【発明を実施するための形態】
【００１７】
以下、本発明による容器蓋の好適な実施形態について図１〜図１５を参照しながら説明する。図１〜図１１は、本発明の第１実施形態を、図１２〜図１５は、本発明の第２実施形態を各々示すものであり、各図において、同一の要素には同一の符号を付し、重複する説明は省略する。
【００１８】
先ず、図１〜図１１に示す第１実施形態を説明する。
【００１９】
図１は、本発明の第１実施形態に係る容器蓋を備えた液状化粧料容器を示す外観図、図２は、図１の縦断面図、図３は、容器蓋の縦断面図、図４は、図３のIV-IV矢視図、図５〜図７は、内キャップの各斜視図、図８は、内キャップの断面斜視図、図９は、内キャップの背面図、図１０は、図９のX-X矢視図、図１１は、図９のXI-XI矢視図であり、本実施形態の液状化粧料容器は、内部に収容した液状化粧料を使用者により適宜被塗布部に塗布することができるものである。液状化粧料は、ここでは、特に好適であるとして、揮発成分を含むアイライナー化粧料とされ、従って、液状化粧料容器は、アイライナー化粧料容器とされている。
【００２０】
図１及び図２に示すように、アイライナー化粧料容器１００は、使用の際に使用者が把持するための把持筒１と、把持筒１の先端側に保持された容器本体２と、容器本体２の先端から突出し容器本体２内のアイライナー化粧料Ｌを塗布するための塗布体３と、容器本体２の先端側に着脱可能に装着され塗布体３を覆う容器蓋（キャップ）１０と、を概略備える。
【００２１】
把持筒１は、例えばＡＢＳ（アクリロニトリル・ブタジエン・スチレンの共重合合成樹脂）等から形成され、有底円筒状に構成される。この把持筒１は、使用者が把持して塗布しやすいように軸線方向に長尺を成している。
【００２２】
容器本体２は、例えばＰＰ（ポリプロピレン）等から形成され、図２に示すように、先端側が先細となるテーパー面２ｔを有する円筒状に構成される。容器本体２の内部には、アイライナー化粧料Ｌを収容するための収容部２ａが形成されると共に、塗布体３を保持する塗布体ホルダ５、アイライナー化粧料Ｌを塗布体３に供給するための中継芯６、中継芯６を囲むように配置されたジャバラ部材７等が収容される。
【００２３】
容器本体２の先端側の外周面には、円環状の鍔部２ｂが設けられる。また、容器本体２の外周面で鍔部２ｂより前の位置には、容器蓋１０を装着するための凸部２ｅが、円環状に設けられる。容器本体２の後端の開口は、例えばＰＰ等から成る尾栓８を容器本体２に装着することにより閉じられ、容器本体２内のジャバラ部材７より後側に拡径して形成された内部空間が、アイライナー化粧料Ｌが充填された収容部２ａとされる。収容部２ａ内には、アイライナー化粧料Ｌと共に、当該アイライナー化粧料Ｌを撹拌すべく例えばＳＵＳ等より形成された球状の撹拌子９が収容される。
【００２４】
そして、この容器本体２は、その後端側から把持筒１に挿入され、その鍔部２ｂが、把持筒１の先端面に突き当たった状態で、把持筒１に着脱可能又は着脱不能に装着される。
【００２５】
中継芯６は、例えばアクリル樹脂等から形成され、軸線方向に延在する軸体状を呈している。この中継芯６は、その後端側の部分が収容部２ａ内に進入すると共に、その先端側の部分が塗布体３に進入することで、収容部２ａ内と塗布体３とを結んでいる。そして、中継芯６は、毛細管現象により収容部２ａ内のアイライナー化粧料Ｌを吸い上げ塗布体３へ供給するのを可能とする。
【００２６】
ジャバラ部材７は、例えばＰＰ等から形成され、略円筒状に構成される。このジャバラ部材７の筒孔内には、上記中継芯６が配置されており、その先端側の嵌合部７ａに対して中継芯６が嵌合することで当該中継芯６を保持する。ジャバラ部材７は、その先端側から後端側に向かって、アイライナー化粧料Ｌを含むためのジャバラ（溝）を軸線方向に沿って備え、このジャバラによって、中継芯６を経由し塗布体３へ供給されるアイライナー化粧料Ｌの流量が最適となるようにコントロールする。
【００２７】
そして、ジャバラ部材７は、その円筒状の後端部７ｃが、容器本体２の内周面の凹部２ｃに嵌合することにより、容器本体２に装着される。この状態で、容器本体２内のジャバラ部材７の後端部７ｃと尾栓８との間に上記収容部２ａが形成されており、この収容部２ａ内にアイライナー化粧料Ｌが収容されている。
【００２８】
塗布体３は、ここでは、ブラシとされ、例えばＰＢＴ等から形成されたフィラメント（毛）を束ねたものである。塗布体３の後端部は、中央に貫通孔を有する円板状の塗布体保持部３ａに固着され、この塗布体保持部３ａは、ジャバラ部材７の先端面と塗布体ホルダ５の後端面との間に挟まれるようにして軸線方向に移動不能とされている（詳しくは後述）。そして、この状態で、塗布体保持部３ａの中央の貫通孔を中継芯６が挿通し塗布体３内に進入した状態となっている。
【００２９】
塗布体ホルダ５は、例えばＰＰ等から形成され、略円筒状で先端が先細とされた形状を呈し、その筒孔を塗布体３が通過している。この塗布体ホルダ５は、その先端部を除く部分が、容器本体２の先端部内に進入し、その後端部の鍔部５ａが、容器本体２の先端部の内側に張り出す張り出し部２ｄの後側に位置し対面している。
【００３０】
そして、塗布体ホルダ５は、ジャバラ部材７が容器本体２に対して当該容器本体２の後側から挿入されて装着されることにより、塗布体保持部３ａを介してその鍔部５ａが軸線方向先端側に押圧され、容器本体２の張り出し部２ｄに当接することにより、軸線方向に移動不能に装着される。従って、塗布体保持部３ａは、ジャバラ部材７の先端面と塗布体ホルダ５の後端面との間に挟持され軸線方向に移動不能とされる。この塗布体ホルダ５は、その先細の先端部によって塗布体３を周囲から押えるようにして束ねることにより、塗布体（ブラシ）３の先端を尖鋭な形状に整える。
【００３１】
容器蓋１０は、塗布体３を保護すると共に、結露を積極的に捕捉するためのものであり（詳しくは後述）、図２〜図４に示すように、外形を構成する外キャップ１１と、この外キャップ１１に収容される内キャップ（蓋体）１２と、を備える。
【００３２】
外キャップ１１は、例えばＰＰ等から形成され、内キャップ１２を収容する収容筒として機能するものであり、有底円筒状に構成される。この外キャップ１１の開放端側（以下キャップにおいて開放端側を後端側とし、反対側を先端側とする）の内周面には、容器本体２の凸部２ｅに軸線方向に係合するための凸部１１ｅが、周方向に沿って複数箇所（ここでは４等配の位置）に設けられる。また、外キャップ１１の内周面で、凸部１１ｅよりさらに先端側の位置には、容器蓋１０を容器本体２から取り外したときに、外キャップ１１の後端側へ向かって移動する内キャップ１２を突き当てそれ以上の移動を阻止するための凸部１１ｆが、内側へ突出するように設けられる。この凸部１１ｆは、図４に示すように、周方向に沿って複数箇所（ここでは４等配の位置）に設けられる。
【００３３】
内キャップ１２は、例えばＰＰ等から形成され、図５〜図８に示すように、段付有底円筒状に構成される。この内キャップ１２は、容器を閉止するためのものであり、図５及び図６に示すように、先端側（図示左側）から、小径部１２ｘ、中径部１２ｙ、大径部１２ｚをこの順に備える。
【００３４】
小径部１２ｘは、短尺の有底円筒状に構成され、中径部１２ｙは、円筒状の小径部１２ｘに拡径して続く長尺の円筒状に構成される。小径部１２ｘの外周面には、軸線方向に延び平板状を成す凸部１２ｂが、放熱を積極的に促進させるものとして、内キャップ１２の軸心を向くように周方向に沿って多数並設される。この小径部１２ｘの凸部１２ｂの径方向外側の端面は、中径部１２ｙの外周面とほぼ面一とされ、凸部１２ｂの後端側の端面は、中径部１２ｙの先端面に連設される。
【００３５】
中径部１２ｙの外周面には、軸線方向に長尺に延び平板状を成す凸部１２ｃが、放熱を積極的に促進させるものとして、内キャップ１２の軸心を向くように周方向に沿って多数並設される。この中径部１２ｙの凸部１２ｃは、小径部１２ｘの凸部１２ｂが中径部１２ｙの先端側の端面に連接する位置から立ち上がるように設けられており、側面視において、小径部１２ｘの凸部１２ｂに一列を成して続くように設けられている。
【００３６】
周方向に隣り合う凸部１２ｃ，１２ｃの２個を１セットの組として、この組の凸部１２ｃ，１２ｃの後端側の端部同士は、円弧状に突設されたブロック状の連結部１２ｆで連結される。一方、連結部１２ｆで互いに連結されていない周方向に隣り合う凸部１２ｃ，１２ｃ同士の間の部分には、軸線方向に延びる空間が形成される。すなわち、この実施形態では、周方向に沿って、連結部１２ｆ、空間、連結部１２ｆ、空間が交互に並ぶ構成となっている。
【００３７】
そして、小径部１２ｘの凸部１２ｂと、中径部１２ｙの凸部１２ｃにより、放熱部１２ａが構成されている。
【００３８】
大径部１２ｚは、後端側（図５及び図６の右側）に向かうに従いラッパ状に徐々に拡径する形状を呈する。大径部１２ｚの内周面には、図８、図１０及び図１１に示すように、後側が拡径する段差部１２ｔが円環状に設けられる。この段差部１２ｔは、図２に示すように、容器蓋１０が容器本体２に装着されると、後述の圧縮コイルバネ１４により容器本体２側（図示右側）へ付勢されて容器本体２のテーパー面２ｔに気密に密着するためのものである。
【００３９】
また、内キャップ１２にあっては、図７〜図１１に示すように、小径部１２ｘ及び中径部１２ｙに亘って、その内部に、複数の平板（ここでは６枚）がほぼ等間隔に並設される。中央の２枚の平板１２ｇ，１２ｇは、その先端側（図８の左側）の端部の中央に、小径部１２ｘに進入する凸部を有しており、この凸部が、小径部１２ｘの先端部（凹部；有底円筒状の底部のこと）の内面に連設され、凸部以外の部分は、その先端側の端部が、中径部１２ｙの先端部に連設されると共に、その両端部が、中径部１２ｙの内周面に連設される。中央の２枚の平板１２ｇ，１２ｇより外側の平板１２ｈ，１２ｈは、その先端側の端部が、中径部１２ｙの先端部に連設されると共に、その両側部が、中径部の内周面に連設される。これらの平板１２ｈ，１２ｈよりさらに外側の平板１２ｉ，１２ｉは、その先端側の端部が、中径部１２ｙの先端部に連設されると共に、その両側部が、中径部１２ｙの内周面に連設され、さらに、平板１２ｉの外側の側面が、中径部１２ｙの内周面に連設される。
【００４０】
これらの平板１２ｇ〜１２ｉは、その後端面の中央部が先端側に向かって切り欠かれた形状を呈し、容器蓋１０を容器本体２に装着したときに、塗布体（ブラシ）３に接近し得る形状となっている。
【００４１】
具体的には、平板１２ｇ〜１２ｉは、その後端面の中央部を、先細となるような傾斜面で切り欠いた（略台形状に切り欠いた）形状を呈し、中央の平板１２ｇは、小径部１２ｘ近くまで大きく切り欠かれた形状を呈し、中央の平板１２ｇより外側の平板１２ｈは、中径部１２ｙの軸線方向中程まで切り欠かれた形状を呈し、この平板１２ｈよりさらに外側の平板１２ｉは、最も小さく切り欠かれた形状を呈す。また、図１０及び図１１に示すように、平板並設方向視において、中央の平板１２ｇの傾斜面より、平板１２ｈの傾斜面の方が内側に位置し、この平板１２ｈの傾斜面より、平板１２ｉの傾斜面の方がさらに内側に位置する構成となっている。
【００４２】
そして、図７〜図９に示すように、各平板１２ｇ〜１２ｉ同士の間に凹部１２ｄがそれぞれ形成され、これら並設された凹部１２ｄにより、結露を始めとした液体を積極的に捕捉するための液体捕捉部１２ｋが構成される。
【００４３】
なお、凹部１２ｄの幅は、金型成形時に成形型であるコアピンを後方へ抜くための抜き勾配により、後端側から先端側へ向かって徐々に狭くなっている。
【００４４】
また、本実施形態の容器蓋１０にあっては、図２及び図３に示すように、内キャップ１２の凸部１２ｃの先端面と外キャップ１１の先端部の内面との間に、圧縮コイルバネ１４が配置される。この圧縮コイルバネ１４は、内キャップ１２を外キャップ１１の後端側へ付勢するものである。
【００４５】
そして、内キャップ１２及び外キャップ１１を備えた容器蓋１０が、図２に示すように、容器本体２の先端側に装着された状態にあっては、外キャップ１１の４箇所の凸部１１ｅが、容器本体２の円環状の凸部２ｅの軸線方向後側に位置して当該凸部２ｅと対面し、嵌着した状態となっている。
【００４６】
このように容器蓋１０が容器本体２に装着された状態にあっては、内キャップ１２の円環状の段差部１２ｔは、圧縮コイルバネ１４により付勢されて容器本体２のテーパー面２ｔに密着し（圧接し）、内キャップ１２と容器本体２との間の気密が確保された状態となっており、アイライナー化粧料Ｌの揮発が抑制されている。
【００４７】
また、この状態で、連結部１２ｆで互いに連結されていない周方向に隣り合う凸部１２ｃ，１２ｃ同士の間の部分（図５及び図６参照）と、外キャップ１１の内周面との間には、後端が開放され軸線方向に延びる空間が、流路１３として形成される（図４参照）。
【００４８】
このようなアイライナー化粧料容器１００を使用に供すべく、容器蓋１０を容器本体２から取り外すと、図３に示すように、圧縮コイルバネ１４の付勢力により、内キャップ１２が外キャップ１１の後端側へ移動し、内キャップ１２の連結部１２ｆの後端面の一部の外周縁１２ｐ（図４参照）が外キャップ１１の凸部１１ｆに突き当たることにより、それ以上の移動が阻止される。そして、図２に示す容器本体２にあっては、常時、収容部２ａ内のアイライナー化粧料Ｌが、中継芯６の毛細管現象により塗布体３へ供給された状態にある。従って、使用者は、容器蓋１０が取り外された状態で把持筒１を把持しながら、塗布体３により所望のアイラインを描くことができる。
【００４９】
そして、塗布が終わったら、使用者は、容器本体２に対して容器蓋１０を装着すべく、容器蓋１０を容器本体２の先端側に外挿していく。この容器蓋１０の容器本体２の先端側に対する外挿により、内キャップ１２の円環状の段差部１２ｔが、容器本体２の先端側のテーパー面２ｔに当接して密着し、さらなる外挿により、圧縮コイルバネ１４が圧縮されながら、外キャップ１１が容器本体２側へ移動していく。そして、外キャップ１１の４箇所の凸部１１ｅが、容器本体２の円環状の凸部２ｅを軸線方向後側へ乗り越えると、図１及び図２に示すように、容器蓋１０（外キャップ１１）が容器本体２に着脱可能に装着される。
【００５０】
このように容器蓋１０が容器本体２に装着されたアイライナー化粧料容器１００にあって、例えば外部環境の温度が低下した際には、以下の作用・効果を奏する。すなわち、図５及び図６に示すように、内キャップ１２の外面に設けた凸部１２ｂ，１２ｃにより表面積が大きくされた放熱部１２ａによって、内キャップ１２の外面が積極的に放熱されて冷却が促進される。このため、内キャップ１２で覆われている容器の外面、ここでは、容器本体２の先端側の外面や、塗布体ホルダ５の容器本体２から突出している部分の外面（図２参照）に結露が生じる前に、内キャップ１２の内面に結露が生じることになる。結露した滴は、図７〜図９に示す内キャップ１２の内面に設けた液体捕捉部１２ｋの凹部１２ｄに表面張力により捕捉される。
【００５１】
このように、本実施形態のアイライナー化粧料容器１００によれば、容器外面に対し滴が付着することを防止でき、美観を損ねず、使用者の手を汚すこともない。
【００５２】
また、内キャップ１２は、有底筒状を成し、その内周面に液体捕捉部１２ｋを有すると共に、その外周面に放熱部１２ａを有する構成のため、外周面という広い領域に設けられた放熱部１２ａにより、放熱・冷却が一層促進され、内周面という広い領域に設けられた液体捕捉部１２ｋにより、結露した滴が一層確実に捕捉される。その結果、容器外面に対し滴が付着することを一層防止できる。
【００５３】
また、液体捕捉部１２ｋの凹部１２ｄの幅が、後端側から先端側に向かって徐々に狭くなっているため、凹部１２ｄに捕捉される滴は、毛細管現象によって、凹部１２ｄの細い先端側に容易に集められ確実に保持される。その結果、容器外面に対し滴が付着することを一層防止できる。
【００５４】
また、有底筒状の内キャップ１２を、放熱部１２ａの凸部１２ｂ，１２ｃと共に収容する外キャップ１１を有する構成のため、内キャップ１２の外面の凸部１２ｂ，１２ｃが邪魔にならず、使用者は容器蓋１０（外キャップ１１）を支障なく容易に把持することができる。
【００５５】
また、放熱部１２ａの構成が、軸線方向に延び、周方向に沿って複数並設された凸部１２ｂ，１２ｃを有するため、好適に放熱できると共に、金型（外型）による成形が容易となっている。
【００５６】
ここで、容器蓋１０が容器本体２から取り外されている図３に示す状態では、内キャップ１２の後端外周面と外キャップ１１の内周面との間は封止されておらず隙間が存在する状態のため、図４に示す流路１３は、その後端が開放され外部雰囲気と連通し、一方、容器蓋１０が容器本体２に装着されている図２に示す状態にあっても、内キャップ１２の後端外周面と外キャップ１１の内周面との間は封止されておらず隙間が存在し、且つ、外キャップ１１の後端部の内周面と容器本体２の外周面との間も封止されておらず隙間が存在する状態のため、図４に示す流路１３は、その後端が開放され外部雰囲気と連通している。すなわち、流路１３は、常時、外部雰囲気と連通しているため、外部雰囲気の空気（大気）が、流路１３を通して軸線方向に沿って先端側まで流れることとなり、放熱部１２ａによる放熱が一層促進される。このため、容器外面に対し滴が付着することを一層防止できる。
【００５７】
なお、本実施形態では、図５及び図６に示すように、周方向に隣り合う凸部１２ｃ，１２ｃを１セットの組として、この組の凸部１２ｃ，１２ｃの後端同士を連結部１２ｆで連結し、当該連結部１２ｆで連結された凸部１２ｃ，１２ｃ同士の間の部分の後端を後方と連通しない構成となっているが、連結部１２ｆを設けずに、周方向に隣り合う全ての凸部１２ｃ，１２ｃ同士の間の部分の後端を後方と連通し、全ての隣り合う凸部１２ｃ，１２ｃ同士の間の部分と、外キャップ１１の内周面との間に流路１３を形成し、放熱部１２ａによる放熱を一層促進させて、容器外面に対し滴が付着することを一層防止することも可能である。
【００５８】
図１２は、本発明の第２実施形態に係る容器蓋を示す縦断面図、図１３及び図１４は、内キャップの各斜視図、図１５は、内キャップの断面斜視図である。
【００５９】
この第２実施形態の容器蓋２０が第１実施形態の容器蓋１０と違う点は、第１実施形態の内キャップ１２を内キャップ２２に代えた点であり、具体的には、第１実施形態の軸線方向に延びる凸部１２ｂ，１２ｃを備えた放熱部１２ａを、周方向に円弧状に延びる凸部２２ｃを備えた放熱部２２ａに代えた点である。
【００６０】
以下、内キャップ２２について詳説する。
【００６１】
内キャップ２２は、図１２〜図１５に示すように、先端側から、小径部２２ｘ、中径部２２ｙ、大径部２２ｚをこの順に備える。
【００６２】
小径部２２ｘは、短尺の有底円筒状に構成され、その後端には、軸線方向視円弧状を成し径方向に延びるように突設されるバネ受け２２ｍが、周方向に沿って一対対向して設けられる。このバネ受け２２ｍは、圧縮コイルバネ１４を軸線方向に受けるためのものである。このバネ受け２２ｍの先端面には、軸線方向視円弧状を成して軸線方向に延びるバネガイド２２ｎがそれぞれ設けられる。このバネガイド２２ｎは、圧縮コイルバネ１４に囲繞されるようにして当該圧縮コイルバネ１４を径方向にガイドするためのものである。そして、これらのバネ受け２２ｍ及びバネガイド２２ｎは、放熱部も兼用する。
【００６３】
中径部２２ｙは、円筒状の小径部２２ｘにテーパー状に拡径して続く筒部である。この中径部２２ｙの外周面には、軸線方向視円弧状を成し径方向に延びるように突設される凸部２２ｃが、放熱を積極的に促進させるものとして、周方向に沿って一対対向して設けられる。この凸部２２ｃは、軸線方向に沿って多数並設され、これら凸部２２ｃの径方向の突出長は、先端側から後端側に向かって徐々に短くされており、軸線方向視においてほぼ同一高さとなっている。また、周方向に並ぶ凸部２２ｃ，２２ｃ同士の間の隙間の位置は、軸線方向に沿って一列に並ぶようになっている。そして、軸線方向に沿って並設された凸部２２ｃにより、放熱部２２ａが構成されている。
【００６４】
また、中径部２２ｙの後端部には、軸線方向視円弧状を成し径方向に延びるように突設される凸部２２ｆが、前述した第１実施形態の連結部１２ｆと同様な機能を発揮するものとして設けられる。この凸部２２ｆは、放熱部も兼用する。そして、周方向に並ぶ凸部２２ｆ，２２ｆ同士の間の隙間の位置、周方向に並ぶ凸部２２ｃ，２２ｃ同士の間の隙間の位置、バネ受け２２ｍ，２２ｍ同士の間の隙間の位置、バネガイド２２ｎ，２２ｎ同士の間の隙間の位置は、軸線方向に沿って一列に並び、この隙間が軸線方向に延びる空間を形成する（図１４参照）。この空間は、後述の流路１３を構成する。
【００６５】
大径部２２ｚは、第１実施形態の大径部１２ｚと同様な形状であり、後端側に向かうに従いラッパ状に徐々に拡径する形状を呈し、その内周面には、図１２及び図１５に示すように、後側が拡径する円環状の段差部２２ｔが、容器本体２のテーパー面２ｔに気密に密着するためのものとして設けられる。
【００６６】
また、内キャップ２２にあっては、図１２及び図１５に示すように、小径部２２ｘ及び中径部２２ｙに亘って、その内部に、内方に向かって突出すると共に軸線方向に延びる凸部２２ｇが周方向に沿って複数並設される。この凸部２２ｇは、容器蓋２０を容器本体２に装着したときに、塗布体（ブラシ）３に接近し得る形状となっている。
【００６７】
具体的には、凸部２２ｇは、小径部２２ｘの先端部から軸線方向に延び、小径部２２ｘを越えた辺りまでは同一突出長となっている。この凸部２２ｇは、中径部２２ｙにおいては、後端側に向かうに従い、徐々に突出長が短くされると共にその幅が徐々に広くされている。
【００６８】
そして、各凸部２２ｇ，２２ｇ同士の間に凹部２２ｄがそれぞれ形成される。これらの凹部２２ｄの幅は、後端側から先端側へ向かって徐々に狭くなっている。従って、このような後端側から先端側へ向かって徐々に狭くなる抜き勾配により、金型成形時に成形型であるコアピンを後方へ容易に抜くことができる。そして、これら周方向に並設された凹部２２ｄにより、結露を始めとした液体を積極的に捕捉するための液体捕捉部２２ｋが構成されている。
【００６９】
なお、外キャップ１１は第１実施形態と同様であり、この外キャップ１１及び内キャップ２２を備えた容器蓋２０の適用対象のアイライナー化粧料容器も第１実施形態と同様である。
【００７０】
このように構成された容器蓋２０にあっても、第１実施形態の容器蓋１０とほぼ同様な作用・効果を奏する。
【００７１】
すなわち、本実施形態によれば、図１３及び図１４に示すように、内キャップ２２の外面に設けた凸部２２ｃにより表面積が大きくされた放熱部２２ａによって、内キャップ２２の外面が積極的に放熱されて冷却が促進されるため、内キャップ２２で覆われている容器の外面（容器本体２の先端側の外面や塗布体ホルダ５の容器本体２から突出している部分の外面；図２参照）に結露が生じる前に、内キャップ２２の内面に結露が生じることになり、結露した滴は、図１２及び図１５に示す内キャップ２２の内面に設けた液体捕捉部２２ｋの凹部２２ｄに表面張力により捕捉される。従って、容器外面に対し滴が付着することを防止でき、美観を損ねず、使用者の手を汚すこともない。
【００７２】
また、内キャップ２２は、有底筒状を成し、その内周面に液体捕捉部２２ｋを有すると共に、その外周面に放熱部２２ａを有する構成のため、外周面という広い領域に設けられた放熱部２２ａにより、放熱・冷却が一層促進され、内周面という広い領域に設けられた液体捕捉部２２ｋにより、結露した滴が一層確実に捕捉される。その結果、容器外面に対し滴が付着することを一層防止できる。
【００７３】
また、液体捕捉部２２ｋの凹部２２ｄの幅が、後端側から先端側に向かって狭くなっているため、凹部２２ｄに捕捉される滴は、毛細管現象によって、凹部２２ｄの細い先端側に容易に集められ確実に保持される。その結果、容器外面に対し滴が付着することを一層防止できる。
【００７４】
また、容器蓋２０は、有底筒状の内キャップ２２を、放熱部２２ａの凸部２２ｃ，２２ｃと共に収容する第１実施形態と同様な外キャップ１１を有する構成のため、内キャップ２２の外面の凸部２２ｃ，２２ｃが邪魔にならず、使用者は容器蓋２０（外キャップ１１）を支障なく容易に把持することができる。
【００７５】
また、内キャップ２２の円弧状の凸部２２ｃは、周方向に沿って複数（ここでは一対）設けられ、外キャップ１１の内周面と、内キャップ２２の外周面で周方向における円弧状の凸部２２ｃ，２２ｃ同士の間の部分との間には、軸線方向に延びる空間が流路１３（第１実施形態の図４参照）として形成され、流路１３は、第１実施形態で説明したのと同様に、その後端が開放され外部雰囲気と連通する構成のため、外部雰囲気の空気が流路１３を通して軸線方向に沿って先端側まで流れると共に、軸線方向に沿って多数並設された円弧状の凸部２２ｃ，２２ｃ同士の間に流れる結果、放熱部２２ａによる放熱が一層促進される。このため、容器外面に対し滴が付着することを一層防止できる。
【００７６】
なお、この実施形態においては、特に好ましいとして、放熱部２２ａを円弧状の凸部２２ｃとし、当該凸部２２ｃを周方向に沿って複数並設することで、外部雰囲気の空気を軸線方向に流通させるための第１実施形態と同様な流路１３（図４参照）を複数形成するようにしているが、放熱部２２ａは、円環状の凸部とすることもできる。また、円環状の凸部の１箇所を切除し、軸線方向視が略Ｃ字状を成すように周方向に延びる凸部を放熱部としても良い。このような構成であっても、外キャップ１１の内周面と、内キャップ２２の外周面で略Ｃ字状の凸部の周方向末端同士の間の部分との間には、上記と同様な軸線方向に延びる空間が流路として形成されるため、外部雰囲気の空気が流路を通して軸線方向に流れ、放熱部による放熱を一層促進できる。
【００７７】
以上、本発明をその実施形態に基づき具体的に説明したが、本発明は上記実施形態に限定されるものではなく、例えば、上記実施形態においては、特に好適であるとして、放熱部１２ａ，２２ａを構成する凸部１２ｂ，１２ｃ，２２ｃを有底筒状の内キャップ１２，２２の外周面に設けると共に、液体捕捉部１２ｋ，２２ｋを構成する凹部１２ｄ，２２ｄを内キャップ１２，２２の内周面に設けるようにしているが、放熱部１２ａ，２２ａや液体捕捉部１２ｋ，２２ｋを、有底筒状の先端部に設けるようにしても良い。
【００７８】
また、上記実施形態においては、特に好ましいとして、液体捕捉部１２ｋ，２２ｋとして複数の凹部１２ｄ，２２ｄを設け、放熱部１２ａ、２２ａとして複数の凸部１２ｂ，１２ｃ，２２ｃを設けているが、液体捕捉部１２ｋ，２２ｋを構成する凹部１２ｄ，２２ｄ、放熱部１２ａ，２２ａを構成する凸部１２ｂ，１２ｃ，２２ｃは、例えば螺旋状の１本の凹部や凸部とすることもできる。
【００７９】
また、上記実施形態のアイライナー化粧料容器１００に、アイライナー化粧料Ｌを先端側に押し出す例えば加圧ピストンのような押出機構を設け、この押出機構を、アイライナー化粧料Ｌを先端側へ移動させる補助として用いるようにしても良い。また、使用者の押圧力によりアイライナー化粧料Ｌを押し出すことができるチューブやソフトボトル等のスクイーズタイプのアイライナー化粧料容器に対しても適用することも可能である。
【００８０】
また、上記実施形態においては、特に好ましいとして、液状化粧料をアイライナー化粧料Ｌとし、容器をアイライナー化粧料容器１００としているが、液体を例えばアイブロウやヘアマスカラ等の他の液状化粧料とし、容器を他の液状化粧料容器としても良く、さらには、液状化粧料を筆記用具等のインキや糊や液状の医薬品に代え、容器を液体容器とすることも可能であり、要は、揮発成分を含む液体を収容した液体容器に対して適用するのが好適である。また、液体に限られず、例えば水等の揮発成分を含む例えばジェル等を備える容器に対しても適用でき、要は、揮発成分を含む内容物を備えた容器に対して適用するのが好適である。この場合、内容物は押し出されたり、繰り出されなくて、固定されていても良い。さらにまた、上記実施形態においては、収容筒である外キャップ１１、蓋体である内キャップ１２（２２）を有底筒状としているが、例えば、蓋体を平板状の内蓋とし、この平板状の内蓋を、フラットな外面を有する外蓋で外側から覆う構成とすることもできる。この場合には、平板状の内蓋の内面に液体捕捉部を構成する凹部を、外面に放熱部を構成する凸部をそれぞれ設け、この内蓋の放熱部を、フラットな外面を有する外蓋で覆えば良い。この場合、外蓋はなくても良い。
【００８１】
因みに、内容物である液状化粧料を始めとした液体の粘度が低い場合、容器内の液体が容器の吐出口から不用意に漏出する虞があるが、このように漏出した液体は、蓋体の液体捕捉部の凹部に表面張力により積極的に捕捉される。従って、容器外面に対し液体（滴）が付着することを防止でき、その結果、美観を損ねず、使用者の手を汚すこともない。
【符号の説明】
【００８２】
２…容器本体（容器）、５…塗布体ホルダ（容器）、１０，２０…容器蓋、１１…外キャップ（収容筒）、１２，２２…内キャップ（蓋体）、１２ａ，２２ａ…放熱部、１２ｂ，１２ｃ，２２ｃ…凸部、１２ｄ，２２ｄ…凹部、１２ｋ，２２ｋ…液体捕捉部、１３…流路、１００…アイライナー化粧料容器、Ｌ…アイライナー化粧料（内容物）。
【図１】
0006540446.tif 000002
【図２】
0006540446.tif 000003
【図３】
0006540446.tif 000004
【図４】
0006540446.tif 000005
【図５】
0006540446.tif 000006
【図６】
0006540446.tif 000007
【図７】
0006540446.tif 000008
【図８】
0006540446.tif 000009
【図９】
0006540446.tif 000010
【図１０】
0006540446.tif 000011
【図１１】
0006540446.tif 000012
【図１２】
0006540446.tif 000013
【図１３】
0006540446.tif 000014
【図１４】
0006540446.tif 000015
【図１５】
0006540446.tif 000016